(57)【要約】【課題】映像信号の属性に応じて精度良く映像信号の平均ビットレートを算出して、算出した平均ビットレートに応じて映像信号に施すフィルタ処理の特性を制御する画像処理装置を提供する。【解決手段】映像信号に対して所定のフィルタ処理を施すビデオグラフィックスプロセッサ１１５と、映像信号から所定のデータ単位当たりの発生ビット量をデータ単位に対応する映像の再生時間で除した平均ビットレートを算出して、平均ビットレートに応じてビデオグラフィックスプロセッサ１１５で施すフィルタ処理の特性を制御する制御部１１８とを備え、制御部１１８は、映像信号が画像ファイル単位で入力されるとき、画像ファイルのファイルサイズをファイルサイズに対応する映像の再生時間で除して平均ビットレートを算出し、入力される映像信号がピクチャ単位で逐次入力されるとき、ピクチャ当たりの発生ビット量を所定フレーム数分加算したビット量を、所定フレーム数とフレームレートとで除して平均ビットレートを算出する。【選択図】  図１
2008311951.tif 000002
【特許請求の範囲】
【請求項１】
映像信号を入力する入力手段と、
上記入力手段により入力された映像信号を復号する復号手段と、
上記復号手段により復号された映像信号に対して所定のフィルタ処理を施すフィルタ手段と、
上記復号手段により復号された映像信号から、所定のデータ単位当たりの発生ビット量を該データ単位に対応する映像の再生時間で除した平均ビットレートを算出して、該平均ビットレートに応じて上記フィルタ手段で施すフィルタ処理の特性を制御する制御手段とを備え、
上記制御手段は、上記入力手段により入力される映像信号が画像ファイル単位で入力されるとき、該画像ファイルのファイルサイズを該ファイルサイズに対応する映像の再生時間で除して上記平均ビットレートを算出し、上記入力手段により入力される映像信号がピクチャ単位で逐次入力されるとき、該ピクチャ当たりの発生ビット量を所定フレーム数分加算したビット量を、該所定フレーム数と該フレームレートとで除して上記平均ビットレートを算出することを特徴とする画像処理装置。
【請求項２】
上記制御手段は、上記入力手段により入力された映像信号の画枠サイズに応じた重み付けを行った上記平均ビットレートに応じて、上記フィルタ処理で施すフィルタ処理の特性を制御することを特徴とする請求項１記載の画像処理装置。
【請求項３】
上記入力手段により入力された映像信号の画枠サイズを変換する画枠サイズ変換手段を更に備え、
上記制御手段は、上記画枠サイズ変換手段により変換される映像信号の画枠サイズと該変換前の映像信号との画枠サイズとの対応関係に応じた重み付けを行った上記平均ビットレートに応じて、上記フィルタ手段で施すフィルタ処理の特性を制御することを特徴とする請求項１記載の画像処理装置。
【請求項４】
上記復号手段は、上記入力手段により入力された映像信号の符号化方式に基づいて該映像信号を復号し、
上記制御手段は、上記入力手段により入力される映像信号の符号化方式の圧縮効率に応じた重み付けを行った上記平均ビットレートに応じて、上記フィルタ手段で施すフィルタ処理の特性を制御することを特徴とする請求項１記載の画像処理装置。
【請求項５】
上記入力手段は、画素ブロック単位で符号化されたピクチャからなり、該ピクチャ内において隣接する画素ブロックの境界部の歪みを除去するデブロッキングフィルタ処理の強さを示すデブロッキングフィルタパラメータが含まれた映像信号を入力し、
上記復号手段は、上記入力手段により入力された映像信号を、該映像信号に含まれるデブロッキングフィルタパラメータに応じてデブロッキングフィルタ処理を施した映像信号に復号し、
上記制御手段は、上記入力手段により入力した映像信号に含まれるデブロッキングフィルタパラメータに応じた重み付けを行った上記平均ビットレートに応じて、上記フィルタ手段で施すフィルタ処理の特性を制御することを特徴とする請求項１記載の画像処理装置。
【請求項６】
上記入力手段は、記憶媒体に記憶された上記映像信号を入力し、
上記制御手段は、上記平均ビットレートと上記記憶媒体の種類とに応じて、上記フィルタ手段で施すフィルタ処理の特性を制御することを特徴とする請求項１記載の画像処理装置。
【請求項７】
上記制御手段は、上記平均ビットレートと、上記入力手段により入力された映像信号がコンピュータグラフィックスか否かの判断結果とに応じて、上記フィルタ手段で施すフィルタ処理の特性を制御することを特徴とする請求項１記載の画像処理装置。
【請求項８】
上記制御手段は、上記平均ビットレートと、上記入力手段により入力された映像信号がアナログ信号またはデジタル信号であるかの判断結果とに応じて、上記フィルタ手段で施すフィルタ処理の特性を制御することを特徴とする請求項１記載の画像処理装置。
【請求項９】
上記制御手段は、上記平均ビットレートと、上記入力手段により入力された映像信号がフィルム素材であるか否かの判断結果とに応じて、上記フィルタ手段で施すフィルタ処理の特性を制御することを特徴とする請求項１記載の画像処理装置。
【請求項１０】
上記制御手段は、上記平均ビットレートと、上記入力手段により入力された映像信号が静止画像または動画像であるかの判断結果とに応じて、上記フィルタ手段で施すフィルタ処理の特性を制御することを特徴とする請求項１記載の画像処理装置。
【請求項１１】
所定の入力手段により入力された映像信号に画像処理を施す画像処理方法において、
上記入力手段により入力された映像信号を復号する復号工程と、
上記復号工程により復号された映像信号に対して所定のフィルタ処理を施すフィルタ工程と、
上記復号工程により復号された映像信号から、所定のデータ単位当たりの発生ビット量を該データ単位に対応する映像の再生時間で除した平均ビットレートを算出して、該平均ビットレートに応じて上記フィルタ処理の特性を制御する制御工程とを備え、
上記制御工程では、上記入力手段により入力される映像信号が画像ファイル単位で入力されるとき、該画像フィルのファイルサイズを該ファイルサイズに対応する映像の再生時間で除して上記平均ビットレートを算出し、上記入力手段により入力される映像信号がピクチャ単位で逐次入力されるとき、該ピクチャ当たりの発生ビット量を所定フレーム数分加算したビット量を、該所定フレーム数と該フレームレートで除して上記平均ビットレートを算出することを特徴とする画像処理方法。
【発明の詳細な説明】
【技術分野】
【０００１】
本発明は、所定の入力手段により入力された映像信号に対してフィルタ処理を施す画像処理装置、及び、画像処理方法に関するものである。
【背景技術】
【０００２】
映像信号を符号化する符号化方式としては、従来から広く用いられているＭＰＥＧ（Moving Picture Expert Group）２方式に加えて、近年ＭＰＥＧ−ＡＶＣ／Ｈ．２６４（以下、ＡＶＣという。）などの他の符号化方式も用いられるようになってきている。
【０００３】
また、テレビジョン受像機などの表示装置では、動画像だけでなく、ＪＰＥＧ（Joint Photographic Experts Group）などで符号化された静止画像を表示する使用形態も増えてきている。
【０００４】
また、このような表示装置では、ゲームやコンピュータグラフィックスで作成された映像コンテンツを、ＤＶＤなどの記録媒体と同様の視聴環境で使用する形態も増えてきている。
【０００５】
表示装置には、外部から入力した映像信号をより高画質に表示するため、例えば映像に含まれるブロックノイズなどを低減するノイズ低減フィルタや画像の輪郭部を強調する輪郭強調フィルタなどのフィルタ処理を施す画像処理装置が組み込まれている。
【０００６】
このような画像処理装置では、符号化された映像信号の圧縮率と同等の指標として用いることができる量子化情報を、フィルタの特性を決定するための制御指標として、ノイズ除去フィルタや輪郭強調フィルタなどの特性を制御している（特許文献１）。
【０００７】
【特許文献１】特開２００３―１８６００号公報
【発明の開示】
【発明が解決しようとする課題】
【０００８】
ところで、従来の画像処理装置では、ＤＶＤなどの記憶媒体に記憶された映像信号に対してフィルタ処理を施すとき、既知の画像ファイルサイズとその映像の再生時間とから平均化されたビットレートを算出して、この平均ビットレートに応じてフィルタの特性を制御することができる。しかしながら、例えば、ＲＯＭコンテンツなどで再生される映像のシーケンスが一意に定まらないとき、具体的には、再生される映像のシーケンスが、ユーザからの操作命令によって選択されたり、プログラミングされているときには、予め平均ビットレートを取得することができなかった。また、ストリーミングなどのピクチャ単位の映像信号が放送波から伝送されるときには、上述した方法により平均ビットレートを算出することができないので、フィルタの特性を適切に制御することができなかった。
【０００９】
本発明は、このような実情に鑑みて提案されたものであり、入力される映像信号の属性に応じて精度良く映像信号の平均ビットレートを算出して、算出した平均ビットレートに応じて映像信号に施すフィルタ処理の特性を制御する画像処理装置、及び、画像処理方法を提供することを目的とする。
【課題を解決するための手段】
【００１０】
上述した課題を解決するための手段として、本発明に係る画像処理装置は、映像信号を入力する入力手段と、上記入力手段により入力された映像信号を復号する復号手段と、上記復号手段により復号された映像信号に対して所定のフィルタ処理を施すフィルタ手段と、上記復号手段により復号された映像信号から、所定のデータ単位当たりの発生ビット量を該データ単位に対応する映像の再生時間で除した平均ビットレートを算出して、該平均ビットレートに応じて上記フィルタ手段で施すフィルタ処理の特性を制御する制御手段とを備え、上記制御手段は、上記入力手段により入力される映像信号が画像ファイル単位で入力されるとき、該画像ファイルのファイルサイズを該ファイルサイズに対応する映像の再生時間で除して上記平均ビットレートを算出し、上記入力手段により入力される映像信号がピクチャ単位で逐次入力されるとき、該ピクチャ当たりの発生ビット量を所定フレーム数分加算したビット量を、該所定フレーム数と該フレームレートとで除して上記平均ビットレートを算出することを特徴とする。
【００１１】
また、本発明に係る画像処理方法は、所定の入力手段により入力された映像信号に画像処理を施す画像処理方法であって、上記入力手段により入力された映像信号を復号する復号工程と、上記復号工程により復号された映像信号に対して所定のフィルタ処理を施すフィルタ工程と、上記復号工程により復号された映像信号から、所定のデータ単位当たりの発生ビット量を該データ単位に対応する映像の再生時間で除した平均ビットレートを算出して、該平均ビットレートに応じて上記フィルタ処理の特性を制御する制御工程とを備え、上記制御工程では、上記入力手段により入力される映像信号が画像ファイル単位で入力されるとき、該画像フィルのファイルサイズを該ファイルサイズに対応する映像の再生時間で除して上記平均ビットレートを算出し、上記入力手段により入力される映像信号がピクチャ単位で逐次入力されるとき、該ピクチャ当たりの発生ビット量を所定フレーム数分加算したビット量を、該所定フレーム数と該フレームレートで除して上記平均ビットレートを算出することを特徴とする。
【発明の効果】
【００１２】
本発明は、入力手段により入力される映像信号が画像ファイル単位で入力されるとき、該画像ファイルのファイルサイズを該ファイルサイズに対応する映像の再生時間で除して平均ビットレートを算出し、入力手段により入力される映像信号がピクチャ単位で逐次入力されるとき、ピクチャ当たりの発生ビット量を所定フレーム数分加算したビット量を、所定フレーム数とフレームレートとで除して平均ビットレートを算出するので、入力される映像信号の属性に応じて精度良く映像信号の平均ビットレートを算出することができ、さらに算出した平均ビットレートに応じてフィルタ処理の特性を制御するので、映像信号の特性に応じて最適なフィルタ処理を施すことができる。
【発明を実施するための最良の形態】
【００１３】
本発明が適用された画像処理装置は、所定の入力手段により入力された映像信号に対してフィルタ処理を施す装置である。以下では、本発明を実施するための最良の形態として、上述した画像処理装置が組み込まれた図１に示す光ディスク記録再生装置１００を詳細に説明する。
【００１４】
光ディスク記録再生装置１００は、例えば、ＤＶＤなどに記憶された映像信号を読み出して、読み出した映像信号に所定の画像処理を施して液晶表示ディスプレイなどの表示装置に出力するものである。
【００１５】
具体的に、光ディスク記録再生装置１００は、映像信号の入力手段として、外部からアナログ形式の映像信号を入力するためのライン入力端子１０１と、アナログ放送波を受信してアナログ形式の映像信号に復調するアナログチューナ１０２と、ＤＶＤなどの記憶媒体から映像信号を読み出す光ディスクドライブ１０３と、映像信号が記憶されたハードディスクドライブ１０４と、ＨＤＶ（High-Definition Video）規格の映像信号を入力するためのＨＤＶ入力端子１０５と、デジタル放送波を受信してデジタル形式の映像信号に復調するデジタルチューナ１０６とを備える。
【００１６】
また、光ディスク記録再生装置１００は、映像信号に所定の信号処理を施す手段として、ライン入力端子１０１とアナログチューナ１０２とそれぞれ電気的に接続されたセレクタ１０７と、アナログ映像信号をベースバンドビデオ信号に復号するビデオデコーダ１０８と、ビデオデコーダ１０８と後述するビデオグラフィックスプロセッサ１１５とそれぞれ電気的に接続されたセレクタ１０９と、ベースバンドビデオ信号を所定の符号化方式に符号化するエンコーダ１１０と、ＨＤＶ入力端子１０５に入力されたデジタル映像信号に所定の処理を施すＨＤＶプロセッサ１１１と、符号化された映像信号に対して所定の処理を施すストリームプロセッサ１１２と、ストリームプロセッサ１１２から出力される映像信号をベースバンドビデオ信号に復号する２つのデコーダ１１３、１１４と、ベースバンドビデオ信号に後述するビデオ信号処理を施すビデオグラフィックスプロセッサ１１５と、ベースバンドビデオ信号をＴＭＤＳ（Transition Minimized Differential Signaling）信号に変換するＨＤＭＩ（High-Definition Multimedia Interface）トランスミッタ１１６と、ベースバンドビデオ信号をアナログコンポーネント映像信号及びアナログコンポジット映像信号に変換するＤＡＣ１１７とを備える。
【００１７】
さらに、光ディスク記録再生装置１００は、映像信号を表示装置などに出力するための手段として、ＨＤＭＩトランスミッタ１１６で変換されたＴＤＭＳ信号を外部へ出力するためのＨＤＭＩコネクタ１１９と、ＤＡＣ１１７で変換されたアナログコンポーネント映像信号を外部へ出力するためのコンポーネント出力端子１２０と、ＤＡＣ１１７で変換されたアナログコンポジット映像信号を外部へ出力するためのコンポジット出力端子１２１とを備える。
【００１８】
以上のような構成からなる光ディスク記録再生装置１００では、メインＣＰＵから構成される制御部１１８により上述した各処理部の動作が制御される。
【００１９】
ライン入力端子１０１は、外部からアナログ映像信号を入力して、入力したアナログ映像信号をセレクタ１０７を介してビデオデコーダ１０８に供給する。
【００２０】
アナログチューナ１０２は、アナログ放送波を受信してアナログ映像信号に復調し、復調したアナログ映像信号をセレクタ１０７を介してビデオデコーダ１０８に供給する。
【００２１】
光ディスクドライブ１０３は、例えばＤＶＤや青紫レーザ光を用いた高密度記録ディスクであるＢＤ（Blu-ray Disc）、ＨＤＤＶＤ（High-Definition Digital Versatile Disc）などの記録媒体に記録された映像信号を読み出して、読み出した映像信号をストリームプロセッサ１１２に供給する。
【００２２】
ハードディスクドライブ１０４は、符号化された映像信号を記憶しており、映像信号を読み出してストリームプロセッサ１１２に供給する。
【００２３】
ＨＤＶ入力端子１０５は、外部からＨＤＶ規格の映像信号を入力して、入力した映像信号をＨＤＶプロセッサ１１１に供給する。
【００２４】
デジタルチューナ１０６は、デジタル放送波を受信してデジタル映像信号に復調し、復調したデジタル映像信号をストリームプロセッサ１１２に供給する。
【００２５】
セレクタ１０７は、ライン入力端子１０１及びアナログチューナ１０２からそれぞれ供給されるアナログ映像信号のうち一方の信号を選択してビデオデコーダ１０８に供給する。
【００２６】
ビデオデコーダ１０８は、セレクタ１０７を介して供給されるアナログ映像信号をデジタル映像信号に変換して、輝度信号と色差信号とに分離するとともに復号処理を施してベースバンドビデオ信号に変換する。そして、ビデオデコーダ１０８は、ベースバンドビデオ信号をセレクタ１０９及びビデオグラフィックスプロセッサ１１５にそれぞれ供給する。
【００２７】
セレクタ１０９は、ビデオデコーダ１０８及びビデオグラフィックスプロセッサ１１５から出力されるベースバンドビデオ信号のうち一方の信号を選択してエンコーダ１１０に供給する。
【００２８】
エンコーダ１１０は、セレクタ１０９を介して供給されるベースバンドビデオ信号を、例えばＭＰＥＧ１、ＭＰＥＧ２、ＭＰＥＧ４、ＡＶＣなどから所望の符号化方式で符号化を行い、符号化したデジタル映像信号をストリームプロセッサ１１２に供給する。
【００２９】
ＨＤＶプロセッサ１１１は、ＨＤＶ入力端子１０５から入力されたＩＥＥＥ１３９４規格に準拠した信号が供給され、供給された信号のＴＳ（Ｔｒａｎｓｐｒｔ  Ｓｔｒｅａｍ）を、デジタル映像信号としてストリームプロセッサ１１２に供給する。
【００３０】
ストリームプロセッサ１１２は、エンコーダ１１０から供給されるデジタル映像信号を記憶用として光ディスクドライブ１０３及びハードディスクドライブ１０４に供給する。また、ストリームプロセッサ１１２は、デジタルチューナ１０６などから供給されるデジタル映像信号をデコーダ１１３、１１４に供給する。
【００３１】
デコーダ１１３、１１４は、並列に設けられており、それぞれストリームプロセッサ１１２から供給されるデジタル映像信号に復号処理を施して、復号処理を施したベースバンドビデオ信号をビデオグラフィックスプロセッサ１１５に供給する。なお、単一の映像信号を入力して、入力した映像信号を復号するときには、デコーダ１１３、１１４のうち１つのみを用いるようにしても良い。
【００３２】
ビデオグラフィックスプロセッサ１１５は、供給されたベースバンドビデオ信号に対して、後述するように画枠サイズ変換処理などのビデオ信号処理を施して、セレクタ１０９、ＨＤＭＩトランスミッタ１１６及びＤＡＣ１１７に供給する。
【００３３】
ＨＤＭＩトランスミッタ１１６は、ビデオグラフィックスプロセッサ１１５から供給されるベースバンドビデオ信号をＴＭＤＳ信号に変換して、ＨＤＭＩコネクタ１１９から外部へ出力する。なお、ＨＤＭＩコネクタ１１９は、制御部１１８から供給される外部機器と通信を行うための制御信号を外部へ出力する。
【００３４】
ＤＡＣ１１７は、ビデオグラフィックスプロセッサ１１５から供給されるベースバンドビデオ信号をＤ／Ａ変換して、アナログコンポーネント映像信号及びアナログコンポジット映像信号をそれぞれコンポーネント出力端子１２０及びコンポジット出力端子１２１から外部へ出力する。
【００３５】
以上のような構成からなる光ディスク記録再生装置１００は、次のようにして、映像信号を表示する受像機と通信を行うことにより映像信号を供給する。
【００３６】
光ディスク記録再生装置１００では、図２に示すように、ＨＤＭＩトランスミッタ１１６が、ＨＤＭＩコネクタ１１９を介して受像機２００にＴＭＤＳ信号を出力するとともに、制御部１１８がＨＤＭＩコネクタ１１９を介して受像機２００との間で通信を行う。
【００３７】
具体的に、制御部１１８は、受像機２００の出力解像度情報を取得するためのＤＤＣ（Display Data Channel）信号と、受像機２００との間で双方向通信を行うためのＣＥＣ（Consumer Electronics Control）信号をＨＤＭＩコネクタ１１９を介して受像機２００に出力する。
【００３８】
一方、受像機２００は、光ディスク記録再生装置１００から出力されるＴＭＤＳ信号、ＤＤＣ信号、及び、ＣＥＣ信号を入力するためのＨＤＭＩコネクタ２０１と、ＨＤＭＩコネクタ２０１で入力されたＴＭＤＳ信号をベースバンドビデオ信号に変換するＨＤＭＩレシーバ２０２と、受像機２００全体の動作を制御する制御部２０３と、制御部２０３に接続されたＥＤＩＤ（Extend Display Identification Data）ＲＯＭ２０４とを備える。
【００３９】
ＨＤＭＩコネクタ２０１は、光ディスク記録再生装置１００から出力されるＴＭＤＳ信号、ＤＤＣ信号、及び、ＣＥＣ信号を入力し、入力したＴＭＤＳ信号、及び、ＤＤＣ信号をＨＤＭＩレシーバ２０２に供給する。
【００４０】
ＨＤＭＩレシーバ２０２は、ＨＤＭＩコネクタ２０１から入力されたＴＭＤＳ信号をベースバンドビデオ信号、音声信号、及び、制御信号に分離して、制御信号を制御部２０３に供給する。また、ＨＤＭＩレシーバ２０２は、ＨＤＭＩコネクタ２０１から入力されたＤＤＣ信号を制御部２０３に供給する。
【００４１】
制御部２０３は、ＨＤＭＩレシーバ２０２から供給されるＤＤＣ信号に基づいて、受像機２００の対応解像度情報が記憶されたＥＤＩＤＲＯＭ２０４からディスプレイ情報を読み出す。そして、制御部２０３は、ＨＤＭＩレシーバ２０２及びＨＤＭＩコネクタ２０１を介して、読み出したディスプレイ情報を光ディスク記録再生装置１００に出力する。
【００４２】
次に、ビデオグラフィックスプロセッサ１１５の具体的な処理について説明する。
【００４３】
ビデオグラフィックスプロセッサ１１５は、図３に示すように、映像信号を一時的に記憶するメモリ３０１と、メモリ３０１に記憶されている映像信号を読み出して画像処理を施す複数の画像処理回路群３０２、３０３、３０４、３０５と、グラフィックスデータに対してデータ処理を行うグラフィックス処理部３０６と、ＪＰＥＧデータなどの静止画に対する画像処理を行う静止画処理部３０７とを備える。
【００４４】
画像処理回路群３０２は、映像信号の画枠サイズを変換する画枠サイズ変換部３０８と、映像信号に対して画像の輪郭部を強調する輪郭強調フィルタ３１２と、画像の合成を行う合成処理部３０９と、他の処理部と同期を図って映像信号をベースバンドビデオ信号として出力するビデオエンコーダ３１０とを備える。なお、画像処理回路群３０３、３０４、３０５も、画像処理回路群３０２と同様の構成になっている。
【００４５】
また、ビデオグラフィックスプロセッサ１１５は、他の処理部から供給される映像信号に対して、この信号に含まれるノイズ成分を低減する３つのノイズ低減フィルタ３１１ａ、３１１ｂ、３１１ｃを備えている。各ノイズ低減フィルタ３１１ａ、３１１ｂ、３１１ｃは、それぞれビデオデコーダ１０８、デコーダ１１３、１１４から入力されるベースバンドビデオ信号に対して、後述するように、ブロックノイズ、フレームノイズ、及びモスキートノイズなどを低減する処理を施してメモリ３０１に供給する。３つのノイズ低減フィルタ３１１ａ、３１１ｂ、３１１ｃに係る具体的な処理内容が同様なので、以下では、便宜上総称して、ノイズ低減フィルタ３１１として説明する。
【００４６】
メモリ３０１は、ノイズ低減フィルタ３１１を介して、ビデオデコーダ１０８、デコーダ１１３、１１４から供給されるベースバンドビデオ信号を所定のビデオ画像用の記憶領域に一時的に記憶する。また、メモリ３０１は、グラフィックス処理部３０６から供給されるグラフィックスデータをグラフィックス用の記憶領域に記憶し、静止画処理部３０７から供給される静止画データを静止画用の記憶領域に記憶する。そして、メモリ３０１は、各記憶領域に記憶されているデータを映像信号として画像処理回路群３０２、３０３、３０４、３０５にそれぞれ供給する。
【００４７】
画像処理回路群３０２は、メモリ３０１に記憶されているベースバンドビデオ信号などのデータを映像信号として読み出して、読み出した映像信号を画枠サイズ変換部３０８に供給する。
【００４８】
画枠サイズ変換部３０８は、制御部１１８からの制御命令に応じた画枠サイズに変換する４つのスケーラ３０８ａ、３０８ｂ、３０８ｃ、３０８ｄを有している。具体的に、画枠サイズ変換部３０８は、メモリ３０１から異なる４つの映像信号を読み出して、同時並列で画枠サイズの変換処理を行う。そして、スケーラ３０８ａ、３０８ｂは、画枠サイズを変換した映像信号を合成処理部３０９に供給する。また、スケーラ３０８ｃ、３０８ｄは、画枠サイズを変換した映像信号を輪郭強調フィルタ３１２に供給する。
【００４９】
輪郭強調フィルタ３１２は、画枠サイズ変換部３０８で画枠サイズが変換された映像信号に対して、画像の輪郭部を強調するフィルタ処理を施す。輪郭強調フィルタ３１２は、例えばスケーラ３０８ｃ、３０８ｄから供給される映像信号に対して、同時並列で輪郭強調を施すためのエンハンサ３１２ａ、３１２ｂとから構成される。輪郭強調フィルタ３１２では、エンハンサ３１２ａ、３１２ｂが輪郭強調処理を施した映像信号をそれぞれ合成処理部３０９に供給する。
【００５０】
合成処理部３０９は、画枠サイズ変換部３０８から同時に供給される２つの映像信号と、輪郭強調フィルタ３１２から同時に供給される２つの映像信号とを合成して、合成した映像信号をビデオエンコーダ３１０に供給する。
【００５１】
ビデオエンコーダ３１０は、合成処理部３０９から供給される映像信号に同期信号を付加するとともに、所望の仕様のベースバンドビデオ信号、又はコンポジットビデオ信号に変換して、他の処理部へ出力する。
【００５２】
以上のような構成を有する光ディスク記録再生装置１００では、ビデオグラフィックスプロセッサ１１５が、上述した入力手段により入力される各映像信号の属性に応じて、適応的にノイズ除去フィルタ処理や輪郭強調フィルタ処理の特性を制御して、高画質の映像信号を受像機２００などに出力するものである。
【００５３】
次に、輪郭強調フィルタ処理について図４を参照して説明する。図４は、輪郭強調フィルタ３１２のエンハンサ３１２ａ、３１２ｂの具体的構成を示したブロック図である。なお、エンハンサ３１２ａ、３１２ｂは、同一の構成なので代表してエンハンサ３１２ａの構成について説明する。
【００５４】
エンハンサ３１２ａは、画像の輪郭部の水平成分を強調する手段として、映像信号から水平方向の高域周波数成分を抽出する水平系フィルタ４０１と、映像信号に対して振幅成分に制限をかけるリミッタ４０２と、映像信号のゲインを調整するゲイン調整部４０３とを備える。また、エンハンサ３１２ａは、画像の輪郭部の垂直成分を強調する手段として、映像信号から垂直方向の高域周波数成分を抽出する垂直系フィルタ４０４と、映像信号から水平方向の高域周波数成分を抽出する水平系フィルタ４０５と、垂直系フィルタ４０４から出力される信号に水平系フィルタ４０５から出力される信号を減算する減算器４０６と、減算器４０６で減算処理を施した信号に対して振幅成分の制限をかけるリミッタ４０７と、リミッタ４０７から出力される信号のゲインを調整するゲイン調整部４０８とを備える。さらに、エンハンサ３１２ａは、メモリ３０１から読み出した映像信号にゲイン調整部４０３から出力される信号を加算する加算器４０９と、加算器４０９で加算処理が施された映像信号にゲイン調整部４０８から出力される信号を加算する加算器４１０とを備える。
【００５５】
水平系フィルタ４０１は、メモリ３０１から読み出した映像信号を入力して、この映像信号の水平方向の高域周波数成分を抽出してリミッタ４０２に供給する。
【００５６】
リミッタ４０２は、水平系フィルタ４０１から抽出された映像信号に対して、図５に示すように振幅成分に制限をかける。図５は、横軸に入力した映像信号の振幅値を示し、縦軸にリミッタ４０２から出力される映像信号の振幅値を示している。すなわち、リミッタ４０２は、小振幅成分と大振幅成分とのノイズを強調しないようにするため、これらの振幅成分に制限をかけた映像信号をゲイン調整部４０３に供給する。
【００５７】
ゲイン調整部４０３は、リミッタ４０２から供給される映像信号のゲインを図６に示すようにして調整して加算器４０９に供給する。図６は、横軸にリミッタ４０２から供給される映像信号の振幅値を示し、縦軸に出力する映像信号の振幅値を示したグラフである。
【００５８】
垂直系フィルタ４０４は、メモリ３０１から読み出した映像信号を入力して、この映像信号の垂直方向の高域周波数成分を抽出して水平系フィルタ４０５及び減算器４０６にそれぞれ供給する。
【００５９】
水平系フィルタ４０５は、垂直系フィルタ４０４から供給される映像信号に対して、この映像信号の水平方向の高域周波数成分を抽出して減算器４０６に供給する。なお、水平系フィルタ４０５は、水平系フィルタ４０１と同様の周波数特性で設計されている。
【００６０】
減算器４０６は、垂直系フィルタ４０４から出力される映像信号から、水平系フィルタ４０５から出力される映像信号を減算してリミッタ４０７に供給する。このようにして、エンハンサ３１２ａでは、減算器４０６に係る処理によって、メモリ３０１から読み出した映像信号に対して水平成分と垂直成分が重なる斜め成分を重複して強調しないようにしている。
【００６１】
リミッタ４０７は、減算器４０６から出力された映像信号に対して、上述した図５に示すように振幅成分に制限をかけてゲイン調整部４０８に供給する。
【００６２】
ゲイン調整部４０８は、リミッタ４０７から供給される映像信号のゲインを、上述した図６に示すように調整して加算器４１０に供給する。
【００６３】
以上のような構成からなるエンハンサ３１２ａでは、制御部１１８から供給される制御命令に従って、水平系フィルタ４０１、４０５、及び垂直系フィルタ４０４の特性を制御する。また、エンハンサ３１２ａは、制御部１１８から供給される制御命令に従って、リミッタ４０２、４０７及びゲイン調整部４０３、４０８の特性を制御している。すなわち、エンハンサ３１２ａ、３１２ｂの動作特性は、制御部１１８によって制御される。
【００６４】
なお、輪郭強調フィルタ３１２では、エンハンサ３１２ａが上述した構成に限定されることなく他の手法による輪郭強調処理を用いるようにしても良い。
【００６５】
次に、制御部１１８は、輪郭強調フィルタ３１２の動作特性を適切に制御するための制御指標を次のように求める。
【００６６】
まず、制御部１１８は、第１の制御指標として、符号化された状態の映像信号における単位データ単位当たりの発生ビット量を、この単位データに対応する映像の再生時間で除した平均ビットレートを次のように算出する。
【００６７】
制御部１１８は、平均ビットレートを算出する対象となる映像信号の属性を特定する。映像信号のうち、上述した光ディスクドライブ１０３及びハードディスクドライブ１０４から読み出される映像信号には、コンテンツのタイトル単位のファイルサイズ（発生ビット量）ＧＢ＿Ｆｉｌｅと、このファイルの映像の再生時間Ｔ＿Ｆｉｌｅが予め含まれている。よって、制御部１１８は、光ディスクドライブ１０３及びハードディスクドライブ１０４から映像信号を読み出すときには、下記式（１）より平均ビットレートＢＲ＿Ｆｉｌｅを算出する。
【００６８】
【数１】
2008311951.tif 000003
【００６９】
すなわち、制御部１１８は、記憶媒体に記憶された映像信号の平均ビットレートＢＲ＿Ｆｉｌｅを式（１）により算出するが、放送波のようにピクチャ単位の映像信号がリアルタイムに供給されてくる映像信号に対して、平均ビットレートＢＲ＿Ｓｔｒｅａｍを下記式（２）よりｎフレーム（ｎは自然数。）毎に逐次算出する。
【００７０】
【数２】
2008311951.tif 000004
【００７１】
ここで、発生ビット量Σ（ＧＢ＿Ｓｔｒｅａｍ）は、ピクチャ単位の発生ビット量をｎフレーム分積算した値である。また、フレームレートＦＲは、単位時間当たりのフレーム数である。
【００７２】
なお、制御部１１８は、記録媒体に記憶された映像信号であっても、再生処理が一意に定まらないときは、式（２）より平均ビットレートを算出する。
【００７３】
制御部１１８は、算出された平均ビットレートを制御指標として、輪郭強調フィルタ３１２の特性を図７に示すように制御する。
【００７４】
制御部１１８は、映像信号に輪郭強調を施す強さを頻繁に変化させると画質が劣化してしまうので、例えば１分当たりのフレーム数の発生ビット量から平均ビットレートを算出する。
【００７５】
具体例として１９２０×１０８０×６０ｉの映像信号を入力するとき、制御部１１８は、まず、図７に示すように、基準ビットレートＢＲ＿ｒｅｆを２２［Ｍｂｐｓ］とする。そして、制御部１１８は、時刻ｔ０からｔ１までの１分間の平均ビットレートの初期値ＢＲ０の値をＢＲ＿ｒｅｆとして、輪郭強調フィルタ３１２の特性を制御する。
【００７６】
制御部１１８は、時刻ｔ０からｔ１までの映像の再生時間に、処理対象の映像信号の平均ビットレートを下記式（３）により算出して、これをＢＲ１とする。
【００７７】
【数３】
2008311951.tif 000005
【００７８】
制御部１１８は、算出したＢＲ１を、輪郭強調フィルタ３１２が時刻ｔ２以降に行う処理の特性を制御するための制御指標とする。したがって、制御部１１８は、図７に示すように、時刻ｔ１から時刻ｔ２までの映像の再生時間に係る制御指標として、ＢＲ０とＢＲ１とを線形補間した値を用いて、輪郭強調フィルタ３１２の特性を制御する。なお、図７では、実線で映像信号の実際のビットレートの変動値を示しており、破線で上述のようにして線形補間した制御指標として用いる平均ビットレートの値を示している。
【００７９】
以上のようにして、制御部１１８は、映像信号が符号化された画像ファイルとしてＤＶＤなどの所定の記憶媒体に予め記憶されているとき、画像ファイルのファイルサイズをその映像の再生時間で除して平均ビットレートを算出し、デジタルチューナ１０６などから映像信号がピクチャ単位で逐次入力されるとき、ピクチャ当たりの発生ビット量を所定フレーム数分加算したビット量を、所定フレーム数とフレームレートとで除して平均ビットレートを算出するので、入力される映像信号の属性に応じて精度良く映像信号の平均ビットレートを算出することができ、さらに算出した平均ビットレートに応じてフィルタ処理の特性を制御するので、映像信号に対して最適なフィルタ処理を施すことができる。
【００８０】
また、制御部１１８は、上述したようにして算出される平均ビットレートを第１の映像信号の属性とし、さらに次のような映像信号の属性に応じて平均ビットレートに重み付け処理を施し、この重み付け処理を施した平均ビットレートを制御指標としてフィルタの特性を制御する。
【００８１】
まず、制御部１１８は、第２の映像信号の属性を符号化方式として、符号化方式に応じて平均ビットレートの重み付けを行う。具体的に、制御部１１８は、符号化方式に応じた重み係数をＷ＿Ｒａｔｅ＿Ｃｏｄｅｃとして、圧縮効率の低い符号化方式から順にＷ＿Ｒａｔｅ＿Ｃｏｄｅｃを低く設定する。このように設定する理由としては、同一のビットレートであれば、圧縮効率の高い符号化方式の映像信号の方がより高画質だからである。制御部１１８は、例えば図８に示すように、符号化方式がＭＰＥＧ２のときＷ＿Ｒａｔｅ＿Ｃｏｄｅｃの値を基準値である１として、符号化方式がＶＣ−１のときＷ＿Ｒａｔｅ＿Ｃｏｄｅｃの値を１．６とし、符号化方式がＡＶＣのときＷ＿Ｒａｔｅ＿Ｃｏｄｅｃの値を１．８として設定する。このようにして、制御部１１８は、平均ビットレートに加えて、映像信号の符号化方式に応じて、輪郭強調フィルタ３１２の特性を制御する。
【００８２】
また、制御部１１８は、第３の映像信号の属性を画枠サイズとして、画枠サイズに応じて平均ビットレートの重み付けを行う。具体的に、制御部１１８は、画枠サイズに応じた重み係数をＷ＿Ｒａｔｅ＿Ｓｉｚｅとして、図９に示すように、画枠サイズの小さいものから順にＷ＿Ｒａｔｅ＿Ｓｉｚｅの値を低く設定する。このように設定するのは、ビットレートが同じであれば、画枠サイズの大きさが小さい方がより高画質だからである。このようにして、制御部１１８は、平均ビットレートに加えて、映像信号の画枠サイズに応じて、輪郭強調フィルタ３１２の特性を制御する。
【００８３】
以上のようにして、制御部１１８は、平均ビットレートに加えて映像信号の符号化方式や画枠サイズから制御指標を算出して、算出した制御指標に応じて図１０に示すように輪郭強調フィルタ３１２の特性を制御する。
【００８４】
具体的に、制御部１１８は、時刻ｔ０から時刻ｔ１までの映像の再生時間に、時刻ｔ２以降に処理を行う輪郭強調フィルタ３１２の特性を制御するための制御指標としての平均ビットレートＢＲ１を、下記式（４）により算出する。
【００８５】
【数４】
2008311951.tif 000006
【００８６】
例えば、コーデックタイプがＡＶＣで画枠サイズが１４４０×１０８０×６０ｉのとき、制御部１１８はＢＲ１を下記式（５）のように算出する。
【００８７】
【数５】
2008311951.tif 000007
【００８８】
そして、制御部１１８は、算出したＢＲ１を、輪郭強調フィルタ３１２が時刻ｔ２以降に行う処理の特性を制御するための制御指標とする。したがって、制御部１１８は、図１０に示すように、時刻ｔ１から時刻ｔ２までの映像の再生時間に係る制御指標としての平均ビットレートを、ＢＲ０とＢＲ１とを線形補間した値として、輪郭強調フィルタ３１２の特性を制御する。なお図１０では、実際の映像信号のビットレートの変動値を実線で示し、上述した重み付け処理を施した制御指標としての平均ビットレートの値を破線で示している。
【００８９】
また、制御部１１８は、図１１に示すように、時刻ｔ２以降の制御パラメータを一定とせずに、順次重み付けをした平均ビットレートを算出して、算出結果を直線補間した値を制御指標としてもよい。
【００９０】
制御部１１８は、例えば時刻ｔ１から時刻ｔ２までの映像の再生時間に係る制御指標としての平均ビットレートＢＲ２を下記式（６）のように算出する。
【００９１】
【数６】
2008311951.tif 000008
【００９２】
以後同様にして、制御部１１８は、任意の映像の再生時間に係る制御指標として平均ビットレートＢＲＸを算出する。
【００９３】
さらに、制御部１１８は、予め記録媒体に記憶されている映像信号の平均ビットレートを算出するとき、式（１）で求まるＢＲ＿Ｆｉｌｅに加えて、逐次平均ビットレートＢＲＸを算出して、下記式（７）のように平均ビットレートを加重平均した値Ａｖｅ＿ＢＲに応じて輪郭強調フィルタ３１２の特性を制御するようにしてもよい。
【００９４】
【数７】
2008311951.tif 000009
【００９５】
なお、制御部１１８は、式（７）より算出したＡｖｅ＿ＢＲから、エンハンサ３１２ａのゲイン特性に係る制御パラメータＧａｉｎ＿ＢＲを設定するとき、例えば図１２に示すように、Ａｖｅ＿ＢＲに対するＧａｉｎ＿ＢＲとの間に非線形特性を持たせるようにしても良い。
【００９６】
また、制御部１１８は、式（１）で求めた平均ビットレートＢＲ＿Ｆｉｌｅに対して下記式（８）より符号化方式と画枠サイズとに応じて重み付けした平均ビットレートを、制御指標として輪郭強調フィルタ３１２の特性を制御するようにしてもよい。
【００９７】
【数８】
2008311951.tif 000010
【００９８】
また、制御部１１８は、上述したように、平均ビットレート、符号化方式、及び、画枠サイズ以外にも、次のような映像信号の属性に応じて輪郭強調フィルタ３１２の特性を制御してもよい。具体的には、入力された映像信号に付加するボケ量を制御指標として、輪郭強調フィルタ３１２の特性を制御する。
【００９９】
すなわち、制御部１１８は、第３の映像信号の属性として、画枠サイズ変換部３０８により変換される映像信号とこの変換前の映像信号との画枠サイズの対応関係に応じて、輪郭強調フィルタ３１２の特性を制御する。具体的に、制御部１１８は、図１３に示すような入力画枠サイズと出力画枠サイズとの対応関係を複数設定して、各対応関係毎に重み係数Ｗ＿Ｓｉｚｅを設定する。
【０１００】
ここで、図１３に示す重み係数Ｗ＿Ｓｉｚｅは、単に１つの制御パラメータの数値を定義するだけでなく、複数種類の制御パラメータの数値を定義したものである。すなわち、制御部１１８は、フィルタの帯域特性を示すＷ＿Ｓｉｚｅ＿Ｆ、及びフィルタのゲイン特性を示すＷ＿Ｓｉｚｅ＿Ｇとを含んだ重み係数Ｗ＿Ｓｉｚｅを、上述した各対応関係毎に設定している。
【０１０１】
このようにして、制御部１１８は、重み係数Ｗ＿Ｓｉｚｅを用いることによって、画枠サイズ変換部３０８で画枠サイズを変換するときに生じる映像信号の解像度の劣化の度合いを考慮して、輪郭強調フィルタ３１２の特性を適切に制御することができる。
【０１０２】
また、制御部１１８は、図１４に示すように、映像信号の符号化方式に応じた輪郭強調フィルタ３１２による輪郭強調の強度を示す制御パラメータＷ＿Ｇａｉｎ＿Ｃｏｄｅｃを設定して、特にＡＶＣのように、ピクチャ内において隣接する画素ブロックの境界部の歪みを除去するデブロッキングフィルタ処理の強さを示すデブロッキングフィルタパラメータが符号化情報に含まれている映像信号に対して、図１４に示すようにデブロッキングフィルタパラメータに応じて制御パラメータを動的に変化させてもよい。
【０１０３】
具体的に、制御部１１８は、例えばＡＶＣのように、処理対象となる映像信号の符号化情報が含まれているとき、ストリームプロセッサ１１２、及び、復号処理を行うデコーダ１１３、１１４から下記のパラメータを取得する。
【０１０４】
すなわち、制御部１１８は、映像信号のピクチャパラメータセットに含まれるｄｅｂｌｏｃｋｉｎｇ＿ｆｉｌｔｅｒ＿ｃｏｎｔｒｏｌ＿ｐｒｅｓｅｎｔ＿ｆｌａｇ（以下、ｄｂ＿ｆｌａｇという。）、及び、スライスヘッダに含まれるｄｉｓａｂｌｅ＿ｄｅｂｌｏｃｋｉｎｇ＿ｆｉｌｅｒ＿ｉｄｃ（以下、ｄｂ＿ｉｄｃという。）、ｓｌｉｃｅ＿ａｌｐｈａ＿ｃ０＿ｏｆｆｓｅｔ＿ｄｉｖ２（以下、ｄｂ＿ａ＿ｏｆｓｔという。）、ｓｌｉｃｅ＿ｂｅｔａ＿ｏｆｆｓｅｔ＿ｄｉｖ２（以下、ｄｂ＿ｂ＿ｏｆｓｔという。）を取得する。
【０１０５】
制御部１１８は、上記の４つのパラメータにより、デブロッキングフィルタ処理の有無と、そのフィルタ処理の強度に関する情報を取得する。そして、制御部１１８は、図１５に示すように、ｄｂ＿ｉｄｃ＝１すなわちデブロッキングフィルタ処理がＯＦＦのとき、Ｗ＿ｆｉｌｔｅｒの値を基準値である１とし、デブロッキングフィルタ処理がＯＮのとき、ｄｂ＿ａ＿ｏｆｓｔ、ｄｂ＿ｂ＿ｏｆｓｔの値に応じてＷ＿Ｆｉｌｅｒの値を１以上に設定する。
【０１０６】
このように設定することで、制御部１１８は、ｄｂ＿ａ＿ｏｆｓｔ、ｄｂ＿ｂ＿ｏｆｓｔの値に応じてデブロッキングフィルタが強くなる特性に基づいて、Ｗ＿Ｆｉｌｅｒの値も大きくして輪郭強調フィルタ３１２による輪郭強調処理の強度を強くする。
【０１０７】
制御部１１８は、以上のようにして求めた制御パラメータＷ＿Ｇａｉｎ＿ＢＲ、Ｗ＿Ｓｉｚｅ＿Ｇ、及び、Ｗ＿Ｇａｉｎ＿Ｃｏｄｅｃ（Ｆｉｌｔｅｒ）から、下記式（９）により輪郭強調フィルタ３１２のゲイン特性を示すパラメータであるＧａｉｎを決定する。
【０１０８】
【数９】
2008311951.tif 000011
【０１０９】
また、制御部１１８は、入力される映像信号の媒体の種類に応じて、図１６に示すような重み係数Ｗ＿Ｇａｉｎ＿Ｍｅｄｉａを設定して、式（９）で算出されるＧａｉｎを補正するようにしても良い。
【０１１０】
具体的に、制御部１１８は、ＢＤ−ＲＯＭやＤＶＤ−ＲＯＭなどの記憶媒体に対して、ＲＯＭ以外の媒体に係る制御パラメータＷ＿Ｇａｉｎ＿Ｍｅｄｉａの値を低く設定する。そして、制御部１１８は、例えばＧａｉｎとＷ＿Ｇａｉｎ＿Ｍｅｄｉａとの乗算値に応じて輪郭強調フィルタ３１２による輪郭強調処理の強度を制御する。このような処理を制御部１１８が行う理由としては、ＢＤ−ＲＯＭやＤＶＤ−ＲＯＭなどに記憶された媒体の映像信号が、ＲＯＭ以外の媒体の映像信号に対してノイズが少ないので、輪郭強調フィルタ３１２の輪郭強調の強度をより強くしても画質が損なわれないからである。
【０１１１】
また、制御部１１８は、映像信号がコンピュータグラフィックスであるか否かにより、図１７に示すような重み係数Ｗ＿Ｇａｉｎ＿ＣＧを設定して、式（９）で算出されるＧａｉｎを補正するようにしても良い。具体的に、制御部１１８は、映像信号がコンピュータグラフィックスのときＷ＿Ｇａｉｎ＿ＣＧの値を０にし、映像信号がコンピュータグラフィックス以外のときＷ＿Ｇａｉｎ＿ＣＧの値を１にする。そして、制御部１１８は、例えばＧａｉｎとＷ＿Ｇａｉｎ＿ＣＧとの乗算値に応じて輪郭強調フィルタ３１２による輪郭強調の強度を制御する。このような処理を制御部１１８が行う理由としては、映像信号がコンピュータグラフィックスのとき、コンピュータグラフィックス以外の映像信号に対して画質が元々高精細であり、輪郭強調処理を行わなくてもよいからである。
【０１１２】
また、制御部１１８は、映像信号がデジタルソースかアナログソースであるかにより、図１８に示すような重み係数Ｗ＿Ｇａｉｎ＿ＤｉｇＡｎａを設定しても良い。すなわち、制御部１１８は、映像信号がデジタルソースのときＷ＿Ｇａｉｎ＿ＤｉｇＡｎａをＫ＿Ｄｉｇにし、映像信号がアナログソースのときＷ＿Ｇａｉｎ＿ＤｉｇＡｎａをＫ＿Ａｎａにする。具体的に、制御部１１８は、アナログソースの映像信号が比較的デジタルソースの映像信号に対してランダムノイズ成分が大きく周波数特性も劣化しているので、Ｋ＿Ｄｉｇと比較して、ノイズを強調せずかつ狭周波数帯域に適した映像信号となるようにＧａｉｎを補正できるようにＫ＿Ａｎａを設定する。
【０１１３】
また、制御部１１８は、映像信号がフィルム素材又はビデオ素材であるかにより、図１９に示すような重み係数Ｗ＿Ｇａｉｎ＿ＦｌｍＶｉを設定して、式（９）で算出されるＧａｉｎを補正するようにしても良い。すなわち、制御部１１８は、映像信号がフィルム素材のとき制御パラメータＷ＿Ｇａｉｎ＿ＦｌｍＶｉをＫ＿Ｆｌｍにし、映像信号がビデオ素材のとき制御パラメータＷ＿Ｇａｉｎ＿ＦｌｍＶｉをＫ＿Ｖｉにする。具体的に、制御部１１８は、フィルム素材が一般的にフィルムグレインノイズを多く含みビデオソースに比べて意図的にぼかして撮影されているので、Ｋ＿Ｖｉと比較して輪郭強調の強度を抑えるようにＧａｉｎを補正するようにＫ＿Ｆｌｍを設定する。
【０１１４】
また、制御部１１８は、映像信号が静止画ソースか動画ソースであるかにより、図２０に示すような重み係数Ｗ＿Ｇａｉｎ＿ＭｏｖＳｔｌを設定して、式（９）で算出されるＧａｉｎを補正するようにしても良い。すなわち、制御部１１８は、映像信号が動画ソースのときＷ＿Ｇａｉｎ＿ＭｏｖＳｔｌをＫ＿Ｍｏｖとし、映像信号が静止画ソースのとき制御パラメータＷ＿Ｇａｉｎ＿ＭｏｖＳｔｌをＫ＿Ｓｔｌとする。具体的に、制御部１１８は、静止画ソースが時間軸方向に変化するノイズがなく、動画ソースに比べて高解像度であるため、Ｋ＿Ｍｏｖに比べて広帯域の映像信号に適した処理となるようにＧａｉｎを補正するようにＫ＿Ｓｔｌの値を設定する。
【０１１５】
次に、ノイズ低減処理について説明する。ノイズ低減フィルタ３１１では、他の処理部から供給されるベースバンドビデオ信号に対して、例えば、次のようなブロックノイズ低減フィルタ処理、フレームノイズ低減フィルタ処理、及び、モスキートノイズ低減フィルタ処理を行う。
【０１１６】
ノイズ低減フィルタ３１１は、制御部１１８が算出する符号化難易度情報に応じて映像信号におけるブロック境界の歪を補正する。ここで、制御部１１８は、デコーダ１１３、１１４による復号処理に用いられる逆直交変換係数及び動きベクトルから符号化難易度情報を算出する。そして、制御部１１８は、式（１）又は式（２）から算出される平均ビットレートに応じて、符号化難易度情報を補正する。具体的に、制御部１１８は、算出した平均ビットレートが低いときには映像信号に発生するブロックノイズが比較的大きくなることを予測して符号化難易度情報の値を高くする補正をし、補正後の符号化難易度情報をノイズ低減フィルタ３１１に供給する。このとき、ノイズ低減フィルタ３１１は、補正された符号化難易度情報に応じて、補正されていない情報に比べてブロック歪みの補正強度を高く設定して映像信号にフィルタ処理を施す。
【０１１７】
また、ノイズ低減フィルタ３１１は、制御部１１８が算出するノイズ成分をフレームノイズとして除去する処理を行う。ここで、制御部１１８は、例えば時間的に前後するフレームからフレーム差分信号を算出して、算出したフレーム差分信号の各周波数毎に含まれるノイズ成分を検出する。そして、制御部１１８は、式（１）又は式（２）から算出される平均ビットレートに応じて、検出したノイズ成分を補正する。特に、圧縮又は伸張処理により発生する低周波成分のノイズレベルを精度良く検出することが難しいので、制御部１１８は、算出した平均ビットレートが低いときには発生する低周波成分のノイズレベルが大きくなることを予測して、検出したノイズレベルのうち、主に低周波成分のレベルを高くする補正をしてノイズ低減フィルタ３１１に供給する。ノイズ低減フィルタ３１１では、補正されたノイズ成分をフレームノイズとして除去する処理を行う。
【０１１８】
さらに、ノイズ低減フィルタ３１１は、映像信号に含まれるモスキートノイズを低減するため、例えば、映像信号の小ブロックのダイナミックレンジＤＲを求めて、求めたダイナミックレンジＤＲと、制御部１１８によって算出される閾値Ｔｈとを比較してＤＲがＴｈよりも大きいときモスキートノイズが含まれていると判断して、モスキートノイズを低減する処理を行う。ノイズ低減フィルタ３１１では、映像信号の小ブロックのダイナミックレンジＤＲとして、ブロック内の画素の画素値の最大値と最小値とを求め、その最大値から最小値を減算することによりダイナミックレンジＤＲを算出する。一方、制御部１１８は、映像信号を復号するときに得られる量子化情報から、量子化ステップが大きいとき閾値Ｔｈを大きい値に設定し、量子化ステップが小さいとき閾値Ｔｈを小さい値に設定する。また、制御部１１８は、量子化ステップが小さく式（１）又は式（２）から算出される平均ビットレートが高いとき、モスキートノイズに対して施すフィルタ処理の強度を弱く設定するようにノイズ低減フィルタ３１１を制御し、量子化ステップが大きく平均ビットレートが低いとき、モスキートノイズに対して施すフィルタ処理の強度を強く設定するようにノイズ低減フィルタ３１１を制御する。
【０１１９】
また、制御部１１８は、式（２）より平均ビットレートを算出するとき、輪郭強調フィルタ３１２に係る制御指標として用いた時間間隔である１秒よりも短い時間間隔である０．５〜１秒程度の間隔で加算した発生ビット量を用いることが望ましい。これは、輪郭強調処理に比べて、ノイズ低減フィルタの特性を頻繁に変更しても、映像信号の画質が相対的に損なわれないからである。
【０１２０】
このようにして、制御部１１８は、映像信号から平均ビットレートを算出して、算出した平均ビットレートに応じてノイズ低減フィルタ３１１に係るノイズ低減処理の強度設定を制御するので、映像信号の属性に応じて適したフィルタ処理を施すことができ、各ノイズ成分が効果的に低減された高画質の映像信号を出力することができる。
【０１２１】
なお、制御部１１８は、単に平均ビットレートに応じてノイズ低減フィルタ３１１に係るフィルタ処理の強度を制御するのに限定されるものではなく、映像信号の他の属性に応じて重み付けをした平均ビットレートを制御指標として、ノイズ低減フィルタ３１１の特性を制御するようにしても良い。
【０１２２】
以上のようにして、制御部１１８は、輪郭強調処理、及び、映像信号に含まれるブロックノイズ、フレームノイズ、モスキートノイズなどを低減するノイズ低減処理に係る強度設定を、映像信号のソースの属性に応じて変化させることによって、輪郭強調フィルタ３１２、ノイズ低減フィルタ３１１の特性を適切に制御することができ、これにより出力する映像信号の画質を向上させることができる。
【図面の簡単な説明】
【０１２３】
【図１】光ディスク再生記録装置の全体構成を示すブロック図である。
【図２】光ディスク再生記録装置と受像機との接続関係を模式的に示す図である。
【図３】ビデオグラフィックスプロセッサの具体的な構成を示す図である。
【図４】エンハンサの具体的な構成を示す図である。
【図５】リミッタの入出力特性を示すグラフである。
【図６】ゲイン調整部の入出力特性を示すグラフである。
【図７】制御指標としての平均ビットレートの時間的な変化を示すグラフである。
【図８】映像信号の符号化方式に応じた重み係数を示す図である。
【図９】映像信号の画枠サイズに応じた重み係数を示す図である。
【図１０】制御指標としての平均ビットレートの時間的な変化を示すグラフである。
【図１１】制御指標としての平均ビットレートの時間的な変化を示すグラフである。
【図１２】Ａｖｅ＿ＢＲに対するＧａｉｎ＿ＢＲの特性の変化を示すグラフである。
【図１３】映像信号の入力画枠サイズと出力画枠サイズとの対応関係に応じた重み係数を示す図である。
【図１４】映像信号の符号化方式に応じた重み係数を示す図である。
【図１５】デブロッキングフィルタパラメータに応じた重み係数を示す図である。
【図１６】入力される映像信号の媒体の種類に応じた重み係数を示す図である。
【図１７】入力される映像信号の媒体の種類に応じた重み係数を示す図である。
【図１８】入力される映像信号の媒体の種類に応じた重み係数を示す図である。
【図１９】入力される映像信号の媒体の種類に応じた重み係数を示す図である。
【図２０】入力される映像信号の媒体の種類に応じた重み係数を示す図である。
【符号の説明】
【０１２４】
１００  光ディスク記録再生装置、１０１  ライン入力端子、１０２  アナログチューナ、１０３  光ディスクドライブ、１０４  ハードディスクドライブ、１０５  ＨＤＶ入力端子、１０６  デジタルチューナ、１０７、１０９  セレクタ、１０８  ビデオデコーダ、１１０  エンコーダ、１１１  ＨＤＶプロセッサ、１１３、１１４  デコーダ、１１５  ビデオグラフィックスプロセッサ、１１６  ＨＤＭＩトランスミッタ、１１７  ＤＡＣ、１１８、２０３  制御部、１１９  ＨＤＭＩコネクタ、１２０  コンポーネント出力端子、１２１  コンポジット出力端子、２００  受像機、２０１  ＨＤＭＩコネクタ、２０２  ＨＤＭＩレシーバ、２０４  ＥＤＩＤＲＯＭ、３０１  メモリ、３０２、３０３、３０４、３０５  画像処理回路群、３０６  グラフィック処理部、３０７  静止画処理部、３０８  画枠サイズ変換部、３０８ａ、３０８ｂ、３０８ｃ  スケーラ、３０９  合成処理部、３１０  ビデオエンコーダ、３１１、３１１ａ、３１１ｂ、３１１ｃ  ノイズ低減フィルタ、３１２  輪郭強調フィルタ、３１２ａ、３１２ｂ  エンハンサ、４０１、４０５  水平系フィルタ、４０２、４０７  リミッタ、４０３、４０８  ゲイン調整部、４０４  垂直系フィルタ、４０６  減算器、４０９、４１０  加算器、
【図１】
2008311951.tif 000012
【図２】
2008311951.tif 000013
【図３】
2008311951.tif 000014
【図４】
2008311951.tif 000015
【図５】
2008311951.tif 000016
【図６】
2008311951.tif 000017
【図７】
2008311951.tif 000018
【図８】
2008311951.tif 000019
【図９】
2008311951.tif 000020
【図１０】
2008311951.tif 000021
【図１１】
2008311951.tif 000022
【図１２】
2008311951.tif 000023
【図１３】
2008311951.tif 000024
【図１４】
2008311951.tif 000025
【図１５】
2008311951.tif 000026
【図１６】
2008311951.tif 000027
【図１７】
2008311951.tif 000028
【図１８】
2008311951.tif 000029
【図１９】
2008311951.tif 000030
【図２０】
2008311951.tif 000031